【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
第１端末から送信されたメッセージの受信と、前記第１端末にメッセージの送信とを行う端末の制御方法であって、
第１端末から送信されたメッセージと、前記端末により前記第１端末に送信したメッセージとを含む複数のメッセージを前記端末の表示領域に表示することと、
前記端末の前記表示領域に表示された前記複数のメッセージのうち、少なくとも第１メッセージと第２メッセージとに対する前記端末のユーザの入力に基づいて、前記第１メッセージに関する情報と、前記第２メッセージに関する情報と、前記第１メッセージと前記第２メッセージとの間に表示されるメッセージに関する情報とを前記端末の制御部により取得することとを含む。
【請求項２】
請求項１に記載の制御方法であって、
前記制御部により取得された、前記第１メッセージに関する情報と、前記第２メッセージに関する情報と、前記第１メッセージと前記第２メッセージとの間に表示されるメッセージに関する情報とに基づく第１情報を前記端末の記憶部に記憶することと、
前記記憶部に記憶された前記第１情報に基づき、前記第１メッセージと、前記第２メッセージと、前記第１メッセージと前記第２メッセージとの間のメッセージとを含む画像を前記表示領域に表示することとを含む。
【請求項３】
請求項２に記載の制御方法であって、
前記端末のユーザの入力は、前記複数のメッセージのうち、前記記憶部に記憶するメッセージの開始位置と、前記記憶部に記憶するメッセージの終了位置とを示す入力である。
【請求項４】
請求項１に記載の制御方法であって、
前記制御部により取得された、前記第１メッセージに関する情報と、前記第２メッセージに関する情報と、前記第１メッセージと前記第２メッセージとの間に表示されるメッセージに関する情報とに基づく第２情報を第２端末に前記端末の通信部によって送信することを含む。
【請求項５】
請求項４に記載の制御方法であって、
前記端末のユーザの入力は、前記複数のメッセージのうち、前記第２端末に送信するメッセージの開始位置と、前記第２端末に送信するメッセージの終了位置とを示す入力である。
【請求項６】
請求項４または請求項５に記載の制御方法であって、
前記第２情報は、メッセンジャーアプリ、メール、メッセージ、ＳＮＳのうち少なくとも１つのサービスによって送信される。
【請求項７】
請求項１から請求項６のいずれか一項に記載の制御方法であって、
前記端末のユーザの入力は、前記第１メッセージにタッチする操作と、前記第２メッセージにタッチする操作である。
【請求項８】
第１端末から送信されたメッセージの受信と、前記第１端末にメッセージの送信とを行う端末のコンピュータによって実行されるプログラムであって、
第１端末から送信されたメッセージと、前記端末により前記第１端末に送信したメッセージとを含む複数のメッセージを前記端末の表示領域に表示することと、
前記端末の前記表示領域に表示された前記複数のメッセージのうち、少なくとも第１メッセージと第２メッセージとに対する前記端末のユーザの入力に基づいて、前記第１メッセージに関する情報と、前記第２メッセージに関する情報と、前記第１メッセージと前記第２メッセージとの間に表示されるメッセージに関する情報とを前記端末の制御部により取得することとを含む。
【請求項９】
請求項８に記載のプログラムであって、
前記制御部により取得された、前記第１メッセージに関する情報と、前記第２メッセージに関する情報と、前記第１メッセージと前記第２メッセージとの間に表示されるメッセージに関する情報とに基づく第１情報を前記端末の記憶部に記憶することと、
前記記憶部に記憶された前記第１情報に基づき、前記第１メッセージと、前記第２メッセージと、前記第１メッセージと前記第２メッセージとの間のメッセージとを含む画像を前記表示領域に表示することとを含む。
【請求項１０】
請求項９に記載のプログラムであって、
前記端末のユーザの入力は、前記複数のメッセージのうち、前記記憶部に記憶するメッセージの開始位置と、前記記憶部に記憶するメッセージの終了位置とを示す入力である。
【請求項１１】
請求項８に記載のプログラムであって、
前記制御部により取得された、前記第１メッセージに関する情報と、前記第２メッセージに関する情報と、前記第１メッセージと前記第２メッセージとの間に表示されるメッセージに関する情報とに基づく第２情報を第２端末に前記端末の通信部によって送信することを含む。
【請求項１２】
請求項１１に記載のプログラムであって、
前記端末のユーザの入力は、前記複数のメッセージのうち、前記第２端末に送信するメッセージの開始位置と、前記第２端末に送信するメッセージの終了位置とを示す入力である。
【請求項１３】
請求項１１または請求項１２に記載のプログラムであって、
前記第２情報は、メッセンジャーアプリ、メール、メッセージ、ＳＮＳのうち少なくとも１つのサービスによって送信される。
【請求項１４】
請求項８から請求項１３のいずれか一項に記載のプログラムであって、
前記端末のユーザの入力は、前記第１メッセージにタッチする操作と、前記第２メッセージにタッチする操作である。
【請求項１５】
第１端末から送信されたメッセージの受信と、前記第１端末にメッセージの送信とを行う端末であって、
第１端末から送信されたメッセージと、前記端末により前記第１端末に送信したメッセージとを含む複数のメッセージを表示する表示部と、
前記端末の前記表示部に表示された前記複数のメッセージのうち、少なくとも第１メッセージと第２メッセージとに対する前記端末のユーザの入力に基づいて、前記第１メッセージに関する情報と、前記第２メッセージに関する情報と、前記第１メッセージと前記第２メッセージとの間に表示されるメッセージに関する情報とを取得する制御部とを備える。
【手続補正２】
【補正対象書類名】明細書
【補正対象項目名】０００９
【補正方法】変更
【補正の内容】
【０００９】
本発明の一実施形態は、第１端末から送信されたメッセージの受信と、前記第１端末にメッセージの送信とを行う端末の制御方法であって、第１端末から送信されたメッセージと、前記端末により前記第１端末に送信したメッセージとを含む複数のメッセージを前記端末の表示領域に表示することと、前記端末の前記表示領域に表示された前記複数のメッセージのうち、少なくとも第１メッセージと第２メッセージとに対する前記端末のユーザの入力に基づいて、前記第１メッセージに関する情報と、前記第２メッセージに関する情報と、前記第１メッセージと前記第２メッセージとの間に表示されるメッセージに関する情報とを前記端末の制御部により取得することとを含んでよい。
【手続補正３】
【補正対象書類名】明細書
【補正対象項目名】００１０
【補正方法】変更
【補正の内容】
【００１０】
本発明の一実施形態は、第１端末から送信されたメッセージの受信と、前記第１端末にメッセージの送信とを行う端末のコンピュータによって実行されるプログラムであって、第１端末から送信されたメッセージと、前記端末により前記第１端末に送信したメッセージとを含む複数のメッセージを前記端末の表示領域に表示することと、前記端末の前記表示領域に表示された前記複数のメッセージのうち、少なくとも第１メッセージと第２メッセージとに対する前記端末のユーザの入力に基づいて、前記第１メッセージに関する情報と、前記第２メッセージに関する情報と、前記第１メッセージと前記第２メッセージとの間に表示されるメッセージに関する情報とを前記端末の制御部により取得することとを含んでよい。
【手続補正４】
【補正対象書類名】明細書
【補正対象項目名】００１１
【補正方法】変更
【補正の内容】
【００１１】
本発明の一実施形態は、第１端末から送信されたメッセージの受信と、前記第１端末にメッセージの送信とを行う端末であって、第１端末から送信されたメッセージと、前記端末により前記第１端末に送信したメッセージとを含む複数のメッセージを表示する表示部と、前記端末の前記表示部に表示された前記複数のメッセージのうち、少なくとも第１メッセージと第２メッセージとに対する前記端末のユーザの入力に基づいて、前記第１メッセージに関する情報と、前記第２メッセージに関する情報と、前記第１メッセージと前記第２メッセージとの間に表示されるメッセージに関する情報とを取得する制御部とを備えてよい。
【手続補正５】
【補正対象書類名】明細書
【補正対象項目名】発明の名称
【補正方法】変更
【補正の内容】
【発明の名称】端末、端末の制御方法、及びプログラム